(57)【特許請求の範囲】
【請求項１】
長方形の集積回路装置の短辺である第１の辺から対向する第３の辺へと向かう方向を第１の方向とし、集積回路装置の長辺である第２の辺から対向する第４の辺へと向かう方向を第２の方向とした場合に、前記第１の方向に沿って配置される第１〜第Ｎの回路ブロック（Ｎは２以上の整数）と、
前記第１〜第Ｎの回路ブロックの前記第２の方向側に隣接して配置された、前記第４の辺に沿って延びる第１のインターフェース領域と、
前記第１〜第Ｎの回路ブロックの前記第２の方向とは反対側に隣接して配置された、前記第２の辺に沿って延びる第２のインターフェース領域と、
を含み、
前記第１〜第Ｎの回路ブロックの１つは、調整値が記憶されるレジスタを含むロジック回路ブロックであり、
前記第１〜第Ｎの回路ブロックの他の１つは、記憶されるデータの少なくとも一部がユーザによってプログラム可能なプログラマブルＲＯＭブロックであり、
前記ロジック回路ブロックと、前記プログラマブルＲＯＭブロックとは、前記第１の方向に沿って隣接して配置されてなり、
前記プログラマブルＲＯＭブロックに記憶された情報の少なくとも一部が、前記ロジック回路ブロックの前記レジスタに供給される集積回路装置。
【請求項２】
請求項１記載の集積回路装置において、
前記プログラマブルＲＯＭブロックは、
データを格納する複数のメモリセルが配列されたメモリセルアレイブロックと、
前記複数のメモリセルから、データを読み出し制御するコントロール回路ブロックとを含む集積回路装置。
【請求項３】
請求項２記載の集積回路装置において、
前記複数のメモリセルの各々は、半導体基板に形成された書き込み／読み出しトランジスタ及び消去トランジスタの各ゲートに共用されるフローティングゲートを有し、前記フローティングゲートが、前記半導体基板に形成された不純物層より成るコントロールゲートと絶縁層を介して対向した単層ゲート構造である集積回路装置。
【請求項４】
請求項３記載の集積回路装置において、
前記複数のメモリセルが形成されるウェル領域はトリプルウェル構造であり、
前記半導体基板を第１導電型としたとき、前記ウェル領域は、前記半導体基板に形成される第２導電型の深層ウェルと、前記第２導電型の深層ウェル上に形成された第１導電型の表層ウェルと、前記第２導電型の深層ウェル上にて前記第１導電型の表層ウェルを囲む第２導電型の環状表層ウェルと、前記第１導電型の表層ウェル及び前記第２導電型の環状表層ウェルに形成された最表層不純物領域とを有し、
前記消去トランジスタは前記第２導電型の環状表層ウェルに形成され、前記コントロールゲート及び前記書き込み／読み出しトランジスタは前記第１導電型の表層ウェルに形成されている集積回路装置。
【請求項５】
請求項２から請求項４のいずれかに記載の集積回路装置において、
前記複数のメモリセルに接続されるビット線は、前記プログラマブルＲＯＭブロック内において、前記第１の方向に沿って延びてなり、
前記複数のメモリセルに接続されるワード線は、前記プログラマブルＲＯＭブロック内において、前記第２の方向に沿って延びてなる集積回路装置。
【請求項６】
請求項５記載の集積回路装置において、
前記コントロール回路ブロックと、前記メモリセルアレイブロックとは、前記第１の方向に沿って隣接して配置されてなる集積回路装置。
【請求項７】
請求項６記載の集積回路装置において、
前記コントロール回路ブロックは、前記ロジック回路ブロックと前記メモリセルアレイブロックとの間に、前記ロジック回路ブロックと隣接するように配置されてなる集積回路装置。
【請求項８】
請求項１から請求項７のいずれかに記載の集積回路装置において、
前記集積回路装置は、表示ドライバであり、
前記プログラマブルＲＯＭブロックに記憶されるデータは、前記表示ドライバの調整に必要な表示ドライバ調整データを含む集積回路装置。
【請求項９】
請求項８記載の集積回路装置において、
前記第１〜第Ｎの回路ブロックのさらに他の１つは、前記表示ドライバ調整データに基づいて表示パネルに供給されるパネル電圧を生成する電源回路ブロックであり、
前記プログラマブルＲＯＭブロックは、前記ロジック回路ブロックと前記電源回路ブロックとの間に配置されてなり、
前記プログラマブルＲＯＭブロックと、前記電源回路ブロックとは、前記第１の方向に沿って隣接して配置されてなり、
前記表示ドライバ調整データは、前記パネル電圧を調整する調整データを含む集積回路装置。
【請求項１０】
請求項８又は請求項９記載の集積回路装置において、
前記第１〜第Ｎの回路ブロックは、階調電圧生成回路ブロックをさらに含み、
前記表示ドライバ調整データは、前記階調電圧を調整する調整データを含む集積回路装置。
【請求項１１】
請求項８から請求項１０のいずれかに記載の集積回路装置において、
前記表示ドライバ調整データは、所与のタイミングを調整する調整データを含む集積回路装置。
【請求項１２】
請求項８から請求項１１のいずれかに記載の集積回路装置において、
前記表示ドライバ調整データは、前記集積回路装置の起動シーケンス設定を調整する調整データを含む集積回路装置。
【請求項１３】
請求項１から請求項１２のいずれかに記載の集積回路装置と、
前記集積回路装置により駆動される表示パネルと、
を含む電子機器。
【発明の詳細な説明】
【技術分野】
【０００１】
本発明は、集積回路装置及び電子機器に関する。
【背景技術】
【０００２】
液晶パネルなどの表示パネルを駆動する集積回路装置として表示ドライバ（ＬＣＤドライバ）がある。この表示ドライバでは、低コスト化のためにチップサイズの縮小が要求される。
【０００３】
しかしながら、携帯電話機などに組み込まれる表示パネルの大きさはほぼ一定である。従って、微細プロセスを採用し、表示ドライバの集積回路装置を単純にシュリンクしてチップサイズを縮小しようとすると、実装が困難になるなどの問題を招く。
【０００４】
また、ユーザが表示ドライバを液晶パネルに実装して表示装置を製造するにあたり、表示ドライバ側にて種々の調整が必要である。例えば、表示ドライバをパネルの仕様（アモルファスＴＦＴ、低温ポリシリコンＴＦＴ、ＱＣＩＦ、ＱＶＧＡ、ＶＧＡ等）や駆動条件の仕様に合わせる調整や、あるいはパネル間の表示特性にばらつきがないように調整することである。ＩＣメーカ側でも、ＩＣ検査時に、発振周波数、出力電圧の調整や、冗長メモリへの切換などが必要となっている。
【０００５】
従来は、ユーザ側の調整は、外付けのＥ２ＰＲＯＭ（ELECTRICAL ERASABLE PROGRAMABLE READ ONLY MEMORY）、外付けのトリマ抵抗（可変抵抗）により行なわれていた。ＩＣメーカ側での冗長メモリへの切換などは、集積回路装置内に設けたヒューズ素子の溶断により行なわれていた。
【０００６】
しかし、部品の外付け作業はユーザにとって煩雑であり、トリマ抵抗は高価でサイズも大きく、壊れ易いと言う欠点もある。ＩＣメーカ側にとっても、ヒューズ素子の切断、その後の動作確認の作業も煩雑である。
【０００７】
ここで、二層のゲートを要するスタックゲート型の不揮性記憶装置と比して、簡易な製造工程で、かつ安価なコストで製造できる不揮発性記憶装置として、特許文献２に記載の不揮発性記憶装置が提案されている。特許文献２に記載の不揮発性記憶装置は、コントロールゲートが半導体層内のＮ型の不純物領域であり、フローティングゲート電極が、一層のポリシリコン層などの導電層からなる（以下、「単層ゲート型の不揮発性記憶装置」ということもある）。このような単層ゲート型の不揮発性記憶装置は、ゲート電極を積層する必要がないため、通常のＣＭＯＳトランジスタのプロセスと同様にして形成することができる。
【特許文献１】特開２００１−２２２２４９号公報
【特許文献２】特開昭６３−１６６２７４号公報
【発明の開示】
【発明が解決しようとする課題】
【０００８】
本発明は、以上のような技術的課題に鑑みてなされたものであり、その目的とするところは、外付け部品やヒューズ素子を不要とすることができ、主としてユーザが設定する調整データを内部記憶し、しかも、回路面積の縮小や設計の効率化を実現できる集積回路装置及びこれを含む電子機器を提供することにある。
【課題を解決するための手段】
【０００９】
（１）本発明は、集積回路装置の短辺である第１の辺から対向する第３の辺へと向かう方向を第１の方向とし、集積回路装置の長辺である第２の辺から対向する第４の辺へと向かう方向を第２の方向とした場合に、前記第１の方向に沿って配置される第１〜第Ｎの回路ブロック（Ｎは２以上の整数）を含み、
前記第１〜第Ｎの回路ブロックの１つはロジック回路ブロックであり、
前記第１〜第Ｎの回路ブロックの他の１つは、記憶されるデータの少なくとも一部がユーザによってプログラム可能なプログラマブルＲＯＭブロックであり、
前記ロジック回路ブロックと、前記プログラマブルＲＯＭブロックとは、前記第１の方向に沿って隣接して配置されてなり、
前記プログラマブルＲＯＭブロックに記憶された情報の少なくとも一部が、前記ロジック回路ブロックに供給される集積回路装置に関係する。
【００１０】
本発明では、第１〜第Ｎの回路ブロックが第１の方向に沿って配置され、この第１〜第Ｎの回路ブロックが、ロジック回路ブロックとプログラマブルＲＯＭブロックとを含む。そして、ロジック回路ブロックとプログラマブルＲＯＭブロックとが、第１の方向に沿って配置される。これによると、ロジック回路ブロックとプログラマブルＲＯＭブロックとを、第２の方向に沿って配置する場合に較べて、集積回路装置の第２の方向での幅を小さくすることができる。すなわち、細長に設計することが可能な集積回路装置を提供することができる。また、第１〜第Ｎの回路ブロックに含まれるプログラマブルＲＯＭに調整データを記憶させることで、外付け部品やヒューズ素子は不要となる。さらに、ロジック回路ブロックとプログラマブルＲＯＭブロックとを隣接して配置することにより、プログラマブルＲＯＭブロックからの信号線を、ショートパスでロジック回路ブロックに接続することができるため、配線領域を原因とするチップ面積の増加を防止することができる。また、回路構成等が変化した場合にも、その影響が他の回路ブロックに及ぶことを防止することができ、設計の効率化が可能である。
【００１１】
（２）また、本発明では、前記第１〜第Ｎの回路ブロックのさらに他の１つは、電源回路ブロックであり、
前記プログラマブルＲＯＭブロックは、前記ロジック回路ブロックと前記電源回路ブロックとの間に配置されてなり、
前記プログラマブルＲＯＭブロックと、前記電源回路ブロックとは、前記第１の方向に沿って隣接して配置されてなり、
前記プログラマブルＲＯＭブロックに記憶された情報の一部が、前記電源回路ブロックに供給されてもよい。
【００１２】
このようにすれば、プログラマブルＲＯＭブロックからの信号線を、ショートパスで電源回路ブロックに接続することができるため、配線領域を原因とするチップ面積の増加を防止することができる。
【００１３】
（３）本発明は、集積回路装置の短辺である第１の辺から対向する第３の辺へと向かう方向を第１の方向とし、集積回路装置の長辺である第２の辺から対向する第４の辺へと向かう方向を第２の方向とした場合に、前記第１の方向に沿って配置される第１〜第Ｎの回路ブロック（Ｎは２以上の整数）を含み、
前記第１〜第Ｎの回路ブロックの１つは電源回路ブロックであり、
前記第１〜第Ｎの回路ブロックの他の１つは、記憶されるデータの少なくとも一部がユーザによってプログラム可能なプログラマブルＲＯＭブロックであり、
前記電源回路ブロックと、前記プログラマブルＲＯＭブロックとは、前記第１の方向に沿って隣接して配置されてなり、
前記プログラマブルＲＯＭブロックに記憶された情報の少なくとも一部が、前記電源回路ブロックに供給される集積回路装置に関する。
【００１４】
本発明では、第１〜第Ｎの回路ブロックが第１の方向に沿って配置され、この第１〜第Ｎの回路ブロックが、電源回路ブロックとプログラマブルＲＯＭブロックとを含む。そして、電源回路ブロックとプログラマブルＲＯＭブロックとが、第１の方向に沿って配置される。これによると、電源回路ブロックとプログラマブルＲＯＭブロックとを、第２の方向に沿って配置する場合に較べて、集積回路装置の第２の方向での幅を小さくすることができる。すなわち、細長に設計することが可能な集積回路装置を提供することができる。また、第１〜第Ｎの回路ブロックに含まれるプログラマブルＲＯＭに調整データを記憶させることで、外付け部品やヒューズ素子は不要となる。さらに、電源回路ブロックとプログラマブルＲＯＭブロックとを隣接して配置することにより、プログラマブルＲＯＭブロックからの信号線を、ショートパスで電源回路ブロックに接続することができるため、配線領域を原因とするチップ面積の増加を防止することができる。また、回路構成等が変化した場合にも、その影響が他の回路ブロックに及ぶことを防止することができ、設計の効率化が可能である。
【００１５】
（４）また、本発明では、前記プログラマブルＲＯＭブロックは、
データを格納する複数のメモリセルが配列されたメモリセルアレイブロックと、
前記複数のメモリセルから、データを読み出し制御するコントロール回路ブロックとを含んでいてもよい。
【００１６】
（５）また、本発明では、前記複数のメモリセルの各々は、半導体基板に形成された書き込み／読み出しトランジスタ及び消去トランジスタの各ゲートに共用されるフローティングゲートを有し、前記フローティングゲートが、前記半導体基板に形成された不純物層より成るコントロールゲートと絶縁層を介して対向した単層ゲート構造であってもよい。
【００１７】
このように、消去トランジスタと書き込み／読み出しトランジスタとを分けることで、同一トランジスタで消去・書き込み・読み出しをする場合と比較して、比較的高電圧である消去電圧に対する耐圧を向上させることができる。
【００１８】
（６）また、本発明では、前記複数のメモリセルが形成されるウェル領域はトリプルウェル構造であり、
前記半導体基板を第１導電型としたとき、前記ウェル領域は、前記半導体基板に形成される第２導電型の深層ウェルと、前記第２導電型の深層ウェル上に形成された第１導電型の表層ウェルと、前記第２導電型の深層ウェル上にて前記第１導電型の表層ウェルを囲む第２導電型の環状表層ウェルと、前記第１導電型の表層ウェル及び前記第２導電型の環状表層ウェルに形成された最表層不純物領域とを有してもよい。
【００１９】
第１導電型の表層ウェルを第２の導電型の環状表層ウェルで囲み、それらの下層に第２導電型の深層ウェルを配置することで、第１導電型の表層ウェルを半導体基板から電気的に分離でき、両者を異なる電位に設定することが可能となる。
【００２０】
（７）また、本発明では、前記複数のメモリセルに接続されるビット線は、前記プログラマブルＲＯＭブロック内において、前記第１の方向に沿って延びてなり、
前記複数のメモリセルに接続されるワード線は、前記プログラマブルＲＯＭブロック内において、前記第２の方向に沿って延びていてもよい。
【００２１】
これによると、メモリセルに接続されたワード線は、集積回路装置の短辺方向（第２の方向）に沿って延びることから、ワード線の本数を長辺方向（第１の方向）に増やすことで、プログラマブルＲＯＭの記憶容量を増大させることができる。すなわち、集積回路装置の短辺方向（第２の方向）の寸法を拡げることなく、プログラマブルＲＯＭの記憶容量を増やすことができる。そのため、集積回路装置の第２の方向での幅を小さくでき、スリムな細長の集積回路装置を提供できる。また、ビット線が長辺方向（第１の方向）に沿って延びることから、データ出力方向は第１の方向となり、データ信号は、第１の方向に沿って配置された他の回路ブロックに供給し易くなる。そのため、配線の迂回を避けて調整データをショートパスで他の回路ブロックに供給できる。
【００２２】
（８）また、本発明では、前記コントロール回路ブロックと、前記メモリセルアレイブロックとは、前記第１の方向に沿って隣接して配置されていてもよい。
【００２３】
これによると、データ出力方向は第１の方向となり、データ信号は、第１の方向に沿って配置された他の回路ブロックに供給し易くなる。そのため、配線の迂回を避けて調整データをショートパスで他の回路ブロックに供給できる。
【００２４】
（９）また、本発明では、前記コントロール回路ブロックは、前記ロジック回路ブロックと前記メモリセルアレイブロックとの間に、前記ロジック回路ブロックと隣接するように配置されていてもよい。
【００２５】
これによると、配線の迂回を避けて、プログラマブルＲＯＭブロックからのデータをショートパスでロジック回路ブロックに供給することができる。
【００２６】
（１０）また、本発明では、前記コントロール回路ブロックは、前記電源回路ブロックと前記メモリセルアレイブロックとの間に、前記電源回路ブロックと隣接するように配置されていてもよい。
【００２７】
これによると、配線の迂回を避けて、プログラマブルＲＯＭブロックからのデータをショートパスで電源回路ブロックに供給することができる。
【００２８】
（１１）また、本発明では、前記集積回路装置は、表示ドライバであり、
前記プログラマブルＲＯＭブロックに記憶されるデータは、前記表示ドライバの調整に必要な表示ドライバ調整データであってもよい。
【００２９】
（１２）また、本発明では、前記表示ドライバ調整データは、パネル電圧を調整する調整データであってもよい。
【００３０】
（１３）また、本発明では、前記第１〜第Ｎの回路ブロックは、階調電圧生成回路ブロックをさらに含み、
前記表示ドライバ調整データは、前記階調電圧を調整する調整データであってもよい。
【００３１】
（１４）また、本発明では、前記表示ドライバ調整データは、所与のタイミングを調整する調整データであってもよい。
【００３２】
（１５）また、本発明では、前記表示ドライバ調整データは、前記集積回路装置の起動シーケンス設定を調整する調整データであってもよい。
【００３３】
（１６）また、本発明では、前記第１〜第Ｎの回路ブロックの前記第２の方向側に配置された、前記第４の辺に沿って延びる第１のインターフェース領域と、
前記第１〜第Ｎの回路ブロックの前記第２の方向とは反対側に配置された、前記第２の辺に沿って延びる第２のインターフェース領域とを含んでいてもよい。
【００３４】
（１７）また、本発明は、上記のいずれかに記載の集積回路装置と、
前記集積回路装置により駆動される表示パネルと、
を含む電子機器に関連する。
【発明を実施するための最良の形態】
【００３５】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００３６】
１．集積回路装置の構成
本実施形態の集積回路装置１０の構成例を図１に示す。本実施形態では、集積回路装置１０の短辺である第１の辺ＳＤ１から対向する第３の辺ＳＤ３へと向かう方向を第１の方向Ｄ１とし、Ｄ１の反対方向を第３の方向Ｄ３としている。また集積回路装置１０の長辺である第２の辺ＳＤ２から対向する第４の辺ＳＤ４へと向かう方向を第２の方向Ｄ２とし、Ｄ２の反対方向を第４の方向Ｄ４としている。なお、図１では集積回路装置１０の左辺が第１の辺ＳＤ１で、右辺が第３の辺ＳＤ３になっているが、左辺が第３の辺ＳＤ３で、右辺が第１の辺ＳＤ１であってもよい。
【００３７】
図１に示すように本実施形態の集積回路装置１０は、Ｄ１方向に沿って（集積回路装置１０の長辺に沿って）配置される第１〜第Ｎの回路ブロックＣＢ１〜ＣＢＮ（Ｎは２以上の整数）を含む。本実施形態では回路ブロックＣＢ１〜ＣＢＮがＤ１方向に並んでいる。第１〜第Ｎの回路ブロックＣＢ１〜ＣＢＮの詳細については後述する。
【００３８】
また集積回路装置１０は、第１〜第Ｎの回路ブロックＣＢ１〜ＣＢＮのＤ２方向側に辺ＳＤ４に沿って設けられる出力側Ｉ／Ｆ領域１２（広義には第１のインターフェース領域）を含む。また第１〜第Ｎの回路ブロックＣＢ１〜ＣＢＮのＤ４方向側（Ｄ２方向とは反対側）に辺ＳＤ２に沿って設けられる入力側Ｉ／Ｆ領域１４（広義には第２のインターフェース領域）を含む。より具体的には、出力側Ｉ／Ｆ領域１２（第１のインターフェース領域）は、回路ブロックＣＢ１〜ＣＢＮのＤ２方向側に、例えば他の回路ブロック等を介さずに配置される。また入力側Ｉ／Ｆ領域１４（第２のインターフェース領域）は、回路ブロックＣＢ１〜ＣＢＮのＤ４方向側に、例えば他の回路ブロック等を介さずに配置される。なお集積回路装置１０をＩＰ(Intellectual Property)コアとして用いて他の集積回路装置に組み込む場合等には、Ｉ／Ｆ領域１２、１４の少なくとも一方を設けない構成とすることもできる。
【００３９】
出力側（表示パネル側）Ｉ／Ｆ領域１２は、表示パネルとのインターフェースとなる領域であり、パッドや、パッドに接続される出力用トランジスタ、保護素子などの種々の素子を含む。なお表示パネルがタッチパネルである場合等には、入力用トランジスタを含んでもよい。
【００４０】
入力側（ホスト側）Ｉ／Ｆ領域１４は、ホスト（ＭＰＵ、画像処理コントローラ、ベースバンドエンジン）とのインターフェースとなる領域であり、パッドや、パッドに接続される入力用（入出力用）トランジスタ、出力用トランジスタ、保護素子などの種々の素子を含むことができる。
【００４１】
なお、短辺である辺ＳＤ１、ＳＤ３に沿った出力側又は入力側Ｉ／Ｆ領域を設けるようにしてもよい。
【００４２】
また第１〜第Ｎの回路ブロックＣＢ１〜ＣＢＮは、少なくとも２つ（或いは３つ）の異なる回路ブロック（異なる機能を持つ回路ブロック）を含むことができる。集積回路装置１０が表示ドライバである本実施形態では、プログラマブルＲＯＭブロックは必須であり、そのプログラマブルＲＯＭブロックからのデータの行く先であるロジック回路（広義にはゲートアレイブロック）及び電源回路ブロックの少なくとも一つが必須である。
【００４３】
例えば図２に種々のタイプの表示ドライバとそれが内蔵する回路ブロックの例を示す。メモリ（ＲＡＭ）内蔵のアモルファスＴＦＴ（Thin Film Transistor）パネル用表示ドライバでは、回路ブロックＣＢ１〜ＣＢＮは、プログラマブルＲＯＭブロックの他に、表示メモリ、データドライバ（ソースドライバ）、走査ドライバ（ゲートドライバ）、ロジック回路（ゲートアレイ回路）、階調電圧生成回路（γ補正回路）、電源回路のブロックを含む。一方、メモリ内蔵の低温ポリシリコン（ＬＴＰＳ）ＴＦＴパネル用表示ドライバでは、走査ドライバをガラス基板に形成できるため、走査ドライバのブロックを省略できる。またメモリ非内蔵のアモルファスＴＦＴパネル用では、メモリのブロックを省略でき、メモリ非内蔵の低温ポリシリコンＴＦＴパネル用では、メモリ及び走査ドライバのブロックを省略できる。またＣＳＴＮ（Collar Super Twisted Nematic）パネル、ＴＦＤ（Thin Film Diode）パネル用では、階調電圧生成回路のブロックを省略できる。
【００４４】
図３（Ａ）（Ｂ）に本実施形態の表示ドライバの集積回路装置１０の平面レイアウトの例を示す。図３（Ａ）（Ｂ）は、メモリ内蔵のアモルファスＴＦＴパネル用の例であり、図３（Ａ）は例えばＱＣＩＦ、３２階調用の表示ドライバをターゲットとし、図３（Ｂ）はＱＶＧＡ、６４階調用の表示ドライバをターゲットとしている。
【００４５】
図３（Ａ）では、プログラマブルＲＯＭ２０は、電源回路ＰＢ及びロジック回路ＬＢの間にある。換言すれば、プログラマブルＲＯＭ２０は、Ｄ１方向にて電源回路ＰＢ及びロジック回路ＬＢの各ブロックに隣接している。個々の回路ブロックに着目すると、ロジック回路ブロックＬＢとプログラマブルＲＯＭ２０とは、第１の方向に沿って（集積回路装置１０の長辺に沿って）隣接して配置されており、電源回路ブロックＰＢとプログラマブルＲＯＭ２０とは、第１の方向に沿って（集積回路装置１０の長辺に沿って）配置されていると言える。
【００４６】
一方、図３（Ｂ）では、プログラマブルＲＯＭ２０のブロックは、Ｄ１方向にて電源回路ＰＢのブロックに隣接している。
【００４７】
この理由は、プログラマブルＲＯＭ２０から読み出されるデータの主たる行く先が、電源回路ＰＢ及び／またはロジック回路ＬＢだからである。つまり、プログラマブルＲＯＭ２０からのデータをショートパスで電源回路ＰＢ及び／またはロジック回路ＬＢに供給できる。この趣旨によると、本発明においてプログラマブルＲＯＭ２０の配置がこれに限られないことは明らかである。すなわち、本発明では、プログラマブルＲＯＭ２０は、集積回路装置１０の長辺に沿って、電源回路ＰＢの両側のいずれか一方に配置されることができる。また、プログラマブルＲＯＭ２０は、集積回路装置１０の長辺に沿って、ロジック回路ブロックＬＢの両側のいずれか一方に配置されることができる。例えば、本実施例の変形例として、プログラマブルＲＯＭ２０は、図３（Ｂ）において、走査ドライバＳＢ１と電源回路ＰＢとの間に配置されてもよい。あるいは、プログラマブルＲＯＭ２０は、図３（Ｂ）において、ロジック回路ブロックＬＢと走査ドライバＳＢ２との間に配置されていてもよい。なお、プログラマブルＲＯＭ２０から読み出されるデータについては後述する。
【００４８】
図３（Ａ）（Ｂ）では、上述した３つのブロック以外に、表示データが記憶されるメモリＭＢ１〜ＭＢ４と、その各メモリに隣接して配置されるデータドライバＤＢ１〜ＤＢ４と、階調電圧生成回路ＧＢと、１または２個の走査ドライバＳＢ（またはＳＢ１，ＳＢ２）を含む。
【００４９】
図３（Ａ）のレイアウト配置によれば、メモリブロックＭＢ１とＭＢ２や、ＭＢ３とＭＢ４の間で、カラムアドレスデコーダを共用できるという利点がある。一方、図３（Ｂ）のレイアウト配置によれば、データドライバブロックＤＢ１〜ＤＢ４から出力側Ｉ／Ｆ領域１２へのデータ信号出力線の配線ピッチを均等化でき、配線効率を向上できるという利点がある。
【００５０】
なお本実施形態の集積回路装置１０のレイアウト配置は、プログラマブルＲＯＭ２０のブロックが、Ｄ１方向にてロジック回路ＬＢ及び／または電源回路ＰＢに隣接している限り、図３（Ａ）（Ｂ）に限定されない。また回路ブロックＣＢ１〜ＣＢＮと出力側Ｉ／Ｆ領域１２や入力側Ｉ／Ｆ領域１４の間に、Ｄ２方向での幅が極めて狭い回路ブロック（ＷＢ以下の細長回路ブロック）を設けてもよい。また回路ブロックＣＢ１〜ＣＢＮが、Ｄ２方向に多段に並んだ回路ブロックを含んでもよい。例えば走査ドライバ回路と電源回路を１つの回路ブロックとした構成としてもよい。
【００５１】
図４（Ａ）に本実施形態の集積回路装置１０のＤ２方向に沿った断面図の例を示す。ここでＷ１、ＷＢ、Ｗ２は、各々、出力側Ｉ／Ｆ領域１２、回路ブロックＣＢ１〜ＣＢＮ、入力側Ｉ／Ｆ領域１４のＤ２方向での幅である。またＷは集積回路装置１０のＤ２方向での幅である。
【００５２】
本実施形態では図４（Ａ）に示すように、Ｄ２方向において、回路ブロックＣＢ１〜ＣＢＮと出力側、入力側Ｉ／Ｆ領域１２、１４との間に他の回路ブロックが介在しない構成にできる。従って、Ｗ１＋ＷＢ＋Ｗ２≦Ｗ＜Ｗ１＋２×ＷＢ＋Ｗ２とすることができ、細長の集積回路装置を実現できる。具体的には、Ｄ２方向での幅Ｗは、Ｗ＜２ｍｍとすることができ、更に具体的にはＷ＜１．５ｍｍとすることができる。なおチップの検査やマウンティングを考慮すると、Ｗ＞０．９ｍｍであることが望ましい。また長辺方向での長さＬＤ（図３（Ａ）（Ｂ）参照）は、１５ｍｍ＜ＬＤ＜２７ｍｍとすることができる。またチップ形状比ＳＰ＝ＬＤ／Ｗは、ＳＰ＞１０とすることができ、更に具体的にはＳＰ＞１２とすることができる。
【００５３】
また回路ブロックＣＢ１〜ＣＢＮの各々のＤ２方向での幅は、例えば同じ幅に統一できる。この場合、各回路ブロックの幅は、実質的に同じであればよく、例えば数μｍ〜２０μｍ（数十μｍ）程度の違いは許容範囲内である。また回路ブロックＣＢ１〜ＣＢＮの中に、幅が異なる回路ブロックが存在する場合には、幅ＷＢは、回路ブロックＣＢ１〜ＣＢＮの幅の中の最大幅とすることができる。
【００５４】
図４（Ｂ）は、２以上の複数の回路ブロックがＤ２方向に沿って配置される比較例を示す。またＤ２方向において、回路ブロック間や、回路ブロックとＩ／Ｆ領域の間に配線領域が形成される。従って集積回路装置５００のＤ２方向（短辺方向）での幅Ｗが大きくなり、スリムな細長チップを実現できない。従って微細プロセスを利用してチップをシュリンクしても、Ｄ１方向（長辺方向）での長さＬＤも短くなってしまい、出力ピッチが狭ピッチになるため、実装の困難化を招く。
【００５５】
これに対して本実施形態では図１に示すように複数の回路ブロックＣＢ１〜ＣＢＮがＤ１方向に沿って配置される。また図４（Ａ）に示すように、パッド（バンプ）の下にトランジスタ（回路素子）を配置できる（能動面バンプ）。また回路ブロック内の配線であるローカル配線よりも上層（パッドよりも下層）で形成されるグローバル配線により、回路ブロック間や、回路ブロックとＩ／Ｆ領域間等での信号線を形成できる。従って、集積回路装置１０のＤ１方向での長さＬＤを維持したままで、Ｄ２方向での幅Ｗを狭くでき、超スリムな細長チップを実現できる。この結果、出力ピッチを例えば２２μｍ以上に維持することができ、実装を容易化できる。
【００５６】
また本実施形態では複数の回路ブロックＣＢ１〜ＣＢＮがＤ１方向に沿って配置されるため、製品の仕様変更等に容易に対応できる。即ち共通のプラットフォームを用いて様々な仕様の製品を設計できるため、設計効率を向上できる。例えば図３（Ａ）（Ｂ）において、表示パネルの画素数や階調数が増減した場合にも、メモリブロックやデータドライバブロックのブロック数や、１水平走査期間での画像データの読み出し回数等を増減するだけで対応できる。また図３（Ａ）（Ｂ）はメモリ内蔵のアモルファスＴＦＴパネル用の例であるが、メモリ内蔵の低温ポリシリコンＴＦＴパネル用の製品を開発する場合には、回路ブロックＣＢ１〜ＣＢＮの中から走査ドライバブロックを取り除くだけで済む。またメモリ非内蔵の製品を開発する場合には、メモリブロックを取り除けば済む。そしてこのように仕様に合わせて回路ブロックを取り除いても、本実施形態では、それが他の回路ブロックに及ぼす影響が最小限に抑えられるため、設計効率を向上できる。
【００５７】
また本実施形態では、各回路ブロックＣＢ１〜ＣＢＮのＤ２方向での幅（高さ）を、例えばデータドライバブロックやメモリブロックの幅（高さ）に統一できる。そして各回路ブロックのトランジスタ数が増減した場合には、各回路ブロックのＤ１方向での長さを増減することで調整できるため、設計を更に効率化できる。例えば図３（Ａ）（Ｂ）において、階調電圧生成回路ブロックや電源回路ブロックの構成が変更になり、トランジスタ数が増減した場合にも、階調電圧生成回路ブロックや電源回路ブロックのＤ１方向での長さを増減することで対応できる。
【００５８】
２．プログラマブルＲＯＭのデータ
２．１．階調電圧データ
本実施形態の集積回路装置では、プログラマブルＲＯＭ２０に記憶されるデータは、階調電圧を調整する調整データであってもよい。そして、階調電圧生成回路（γ補正回路）は、プログラマブルＲＯＭ２０に記憶された調整データに基づいて、階調電圧を生成する。以下、階調電圧生成回路（γ補正回路）の動作について説明する。
【００５９】
図５は、図３（Ａ）に示す回路ブロックのうち、プログラマブルＲＯＭ２０、ロジック回路ＬＢ及び階調電圧生成回路（γ補正回路）ＧＢを示している。
【００６０】
プログラマブルＲＯＭ２０には、階調電圧を調整するための調整データが、例えばユーザー（表示装置製造メーカ）により入力される。調整レジスタ１２６は、ロジック回路ＬＢ内に設けられている。調整レジスタ１２６は、階調電圧を調整可能な種々の設定データを設定することができる。プログラマブルＲＯＭ２０に記憶された調整データを調整レジスタ１２６へ読み出すことにより設定データが出力される。調整レジスタ１２６から読み出された設定データが、階調電圧生成回路ＧＢに供給される。
【００６１】
階調電圧生成回路ＧＢは、選択用電圧生成回路１２２と、階調電圧選択回路１２４とを有する。選択用電圧生成回路１２２（電圧分割回路）は、電源回路ＰＢで生成された高電圧の電源電圧ＶＤＤＨ、ＶＳＳＨに基づいて、選択用電圧を出力する。具体的には選択用電圧生成回路１２２は、直列に接続された複数の抵抗素子を有するラダー抵抗回路を含む。そしてＶＤＤＨ、ＶＳＳＨを、このラダー抵抗回路により分割した電圧を、選択用電圧として出力する。階調電圧選択回路１２４は、調整レジスタ１２６より供給された階調特性の設定データに基づいて、選択用電圧の中から、例えば６４階調の場合には６４個の電圧を選択して、階調電圧Ｖ０〜Ｖ６３として出力する。このようにすれば表示パネルに応じた最適な階調特性（γ補正特性）の階調電圧を生成できる。
【００６２】
調整レジスタ１２６は、振幅調整レジスタ１３０、傾き調整レジスタ１３２、微調整レジスタ１３４を含んでいてもよい。振幅調整レジスタ１３０、傾き調整レジスタ１３２、微調整レジスタ１３４には、階調特性のデータが設定されている。
【００６３】
例えば、プログラマブルＲＯＭ２０に記憶された５ビットの設定データを振幅調整レジスタ１３０へ読み出すことで、図６（Ａ）のＢ１、Ｂ２に示すように電源電圧ＶＤＤＨ、ＶＳＳＨの電圧レベルが変化し、階調電圧の振幅調整が可能になる。
【００６４】
また、プログラマブルＲＯＭ２０に記憶された設定データを傾き調整レジスタ１３２へ読み出すことで、図６（Ｂ）のＢ３〜Ｂ６に示すように、階調レベルの４ポイントにおける階調電圧が変化し、階調特性の傾き調整が可能になる。即ち傾き調整レジスタ１３２に設定される各４ビットの設定データＶＲＰ０〜ＶＲＰ３に基づいて、ラダー抵抗を構成する抵抗素子ＲＬ１，ＲＬ３，ＲＬ１０，ＲＬ１２の抵抗値が変化し、Ｂ３に示すような傾き調整が可能になる。
【００６５】
また、プログラマブルＲＯＭ２０に記憶された設定データを微調整レジスタ１３４へ読み出すことで、図６（Ｃ）のＢ７〜Ｂ１４に示すように、階調レベルの８ポイントにおける階調電圧が変化し、階調特性の微調整が可能になる。即ち微調整レジスタ１３４に設定される各３ビットの設定データＶＰ１〜ＶＰ８に基づいて、８ｔｏ１セレクタ１４１〜１４８が、８つの抵抗素子ＲＬ２，ＲＬ４〜ＲＬ９，ＲＬ１１の各８個のタップのうちから１つのタップをそれぞれ選択し、選択されたタップの電圧をＶＯＰ１〜ＯＰ８として出力する。これにより図６（Ｃ）のＢ７〜Ｂ１４に示すような微調整が可能になる。
【００６６】
階調アンプ部１５０は、８ｔｏ１セレクタ１４２〜１４８の出力ＶＯＰ１〜ＶＯＰ８やＶＤＤＨ、ＶＳＳＨに基づいて、階調電圧Ｖ０〜Ｖ６３を出力する。具体的には階調アンプ部１５０は、ＶＯＰ１〜ＶＰＯＰ８が入力される第１〜第８のインピーダンス変換回路（ボルテージフォロワ接続された演算増幅器）を含む。そして例えば第１〜第８のインピーダンス変換回路のうちの隣り合うインピーダンス変換回路の出力電圧を抵抗分割することで、階調電圧Ｖ１〜Ｖ６２が生成される。
【００６７】
以上のような調整を行えば、表示パネルの種類に応じた最適な階調特性（γ特性）を得ることができ、表示品質を向上できる。そして、本実施形態では、プログラマブルＲＯＭ２０には、表示パネルの種類に応じた最適な階調特性（γ特性）を得るための調整データが記憶されている。そのため、表示パネルの種類毎に最適な階調特性（γ特性）を得ることができ、表示品質を向上することができる。
【００６８】
また、本実施の形態では、プログラマブルＲＯＭ２０と、ロジック回路ブロックＬＢとは、第１の方向Ｄ１に沿って隣接して配置されてなる。このようにすれば、プログラマブルＲＯＭ２０からの調整データの信号線をショートパスでロジック回路ブロックＬＢに接続できるため、配線領域を原因とするチップ面積の増加を防止できる。
【００６９】
さらに、本実施形態では図３（Ａ）に示すようにロジック回路ブロックＬＢと階調電圧生成回路ブロックＧＢをＤ１方向に沿って隣接して配置させてもよい。このようにすれば、ロジック回路ブロックＬＢからの信号線を、ショートパスで階調電圧生成回路ブロックＧＢに接続できるため、配線領域を原因とするチップ面積の増加を防止できる。
【００７０】
２．２．パネル設定電圧データ
本実施形態の集積回路装置では、プログラマブルＲＯＭ２０に記憶されるデータは、パネル電圧を調整する調整データであってもよい。該パネル電圧を調整する調整データは、例えば、対向電極ＶＣＯＭに与えられる電圧を調整するためのデータであってもよい。
【００７１】
図７に、電気光学装置を含む表示装置の構成例のブロック図を示す。図７の表示装置は、液晶装置としての機能を実現する。そして、電気光学装置は、液晶パネルとしての機能を実現する。
【００７２】
液晶装置１６０（広義には表示装置）は、スイッチング素子としてＴＦＴを用いた液晶パネル（広義には表示パネル）１６２、データ線駆動回路１７０、走査線駆動回路１８０、コントローラ１９０、電源回路１９２を含む。
【００７３】
ＴＦＴのゲート電極は走査線Ｇに接続され、ＴＦＴのソース電極はデータ線Ｓに接続され、ＴＦＴのドレイン電極は画素電極ＰＥに接続されている。この画素電極ＰＥと、液晶素子（広義には電気光学物質）を挟んで対向する対向電極ＶＣＯＭ（コモン電極）との間には、液晶容量ＣＬ（液晶素子）及び補助容量ＣＳが形成されている。そして、ＴＦＴ、画素電極ＰＥ等が形成されるアクティブマトリクス基板と、対向電極ＶＣＯＭが形成される対向基板との間に液晶が封入され、画素電極ＰＥと対向電極ＶＣＯＭの間の印加電圧に応じて画素の透過率が変化するようになっている。
【００７４】
本実施の形態では、プログラマブルＲＯＭ２０には、対向電極ＶＣＯＭに与えられる電圧を調整する調整データが記憶されていてもよい。そして、該調整データに基づいて、電源回路１９２の電圧が調整され、対向電極ＶＣＯＭに与えられる。該調整データを、表示パネル毎に設定することで、表示品質を向上することができる。
【００７５】
本実施の形態では、図３（Ａ）に示すように、プログラマブルＲＯＭ２０と電源回路ブロックＰＢとは、第１の方向Ｄ１に沿って隣接して配置されてなる。このようにすれば、プログラマブルＲＯＭ２０からの調整データの信号線を、ショートパスで電源回路ブロックＰＢに接続できるため、配線領域を原因とするチップ面積の増加を防止できる。
【００７６】
２．３．その他のユーザ設定情報
本実施の形態の集積回路装置では、プログラマブルＲＯＭ２０に記憶されるデータはこれらに限られるものではない。例えば、プログラマブルＲＯＭ２０には、表示ドライバ調整データとして、所与のタイミングを調整する調整データが記憶されていてもよい。すなわち、該調整データに基づいて、メモリのリフレッシュ周期や表示タイミングを制御する各種の制御信号が生成されてもよい。あるいは、プログラマブルＲＯＭ２０には、表示ドライバ調整データとして、集積回路装置の起動シーケンス設定を調整する調整データが記憶されていてもよい。
【００７７】
以上の調整データは、ユーザーによりプログラミングされるものであるが、ＩＣメーカがＩＣ製造・検査過程で調整するデータを記憶させても良い。
【００７８】
３．プログラマブルＲＯＭ
３．１．プログラマブルＲＯＭの全体構成
図８は、集積回路装置１０内に配置されたプログラマブルＲＯＭ２０を示している。プログラマブルＲＯＭ２０は、大別して、メモリセルアレイブロック２００と、コントロール回路ブロック２０２とを有している。メモリセルアレイブロック２００とコントロール回路ブロック２０２とは、集積回路装置１０の長辺方向であるＤ１方向にて隣接している。
【００７９】
メモリセルアレイブロック２００には、複数のワード線ＷＬと複数のビット線ＢＬとが設けられている。複数のワード線ＷＬは、集積回路装置１０の短辺方向であるＤ２方向に沿って延びている。複数のビット線ＢＬは、集積回路装置１０の長辺方向であるＤ１方向に沿って延びている。この理由は次の通りである。
【００８０】
プログラマブルＲＯＭ２０の記憶容量は、ユーザ側の仕様等により機種毎に増減可能である。本実施形態では、記憶容量の増減は、ワード線ＷＬの本数を変更することで対処する。つまり、ワード線ＷＬの長さは、記憶容量が変更されても一定である。この結果、１本のワード線ＷＬに接続されるメモリセルの個数は固定となる。ワード線ＷＬの本数を増やせば、プログラムＲＯＭ２０の記憶容量は増大される。プログラムＲＯＭ２０の記憶容量を増大させても、メモリセルアレイブロック２００は、集積回路装置１０の短辺方向（Ｄ２方向）には長くならない。よって、図１にて説明したスリムな形状を維持できる。
【００８１】
他の理由として、プログラマブルＲＯＭ２０の記憶容量を増減させても、コントロール回路ブロック２０２は、集積回路装置１０の短辺方向（Ｄ２方向）には長くならない。よって、図１にて説明したスリムな形状を維持できる。比較例である図９では、プログラムＲＯＭ２０の記憶容量を増大させた結果、メモリセルアレイブロック２００が集積回路装置１０の短辺方向（Ｄ２方向）に長くなる。この場合、コントロール回路ブロック２０２の回路設計をやり直さなければならない。しかし、比較例である図９のレイアウトを９０°回転させた本実施形態の図８のレイアウトでは、その必要はない。よって、プログラマブルＲＯＭ２０の記憶容量を増減させても、特にコントロール回路ブロック２０２の設計の効率化を実現できる。
【００８２】
さらに他の理由として、ビット線ＢＬが集積回路装置１０の長辺方向であるＤ１方向に沿って延びており、そのビット線ＢＬの延長線上にコントロール回路ブロック２０２を配置できる。コントロール回路ブロック２０２の一つの機能は、ビット線ＢＬを介して読み出されたデータをセンスアンプにて検出し、他の回路ブロックに供給するものである。上述のレイアウトにより、図９の比較例と比べれば、メモリセルアレイブロック２００から読み出されたデータをショートパスでコントロール回路ブロック２０２へ供給できる。
【００８３】
３．２．単層ゲートのメモリセル
図１０は、図８に示すメモリセルアレイブロック２００に配置される単層ゲートのメモリセルＭＣの平面図である。図１１は、単層ゲートのメモリセルＭＣの等価回路図である。
【００８４】
図１０において、このメモリセルＭＣは、コントロールゲート部分２１０と、書き込み／読み出しトランジスタ２２０と、消去トランジスタ２３０とを有し、この３つの領域にポリシリコンにて形成されたフローティングゲートＦＧが延びている。図１１に示すように、このメモリセルＭＣは、書き込み／読み出しトランジスタ２２０のドレインとビット線ＢＬとの間に設けられたトランスファーゲート２４０を有する。トランスファーゲート２４０は、サブワード線ＳＷＬの論理と、反転サブワード線ＸＳＷＬとの論理により、書き込み／読み出しトランジスタ２２０のドレインとビット線ＢＬとの接続／非接続を行なう。このトランスファーゲート２４０は、Ｐ型ＭＯＳトランジスタＸｆｅｒ（Ｐ）と、Ｎ型ＭＯＳトランジスタＸｆｅｒ（Ｎ）とで構成される。なお、ワード線を階層化しない場合は、トランスファーゲート２４０は、ワード線及び反転ワード線の各論理により制御される。
【００８５】
単層ゲートとは、コントロールゲートＣＧが、半導体基板（例えばＰ型、広義には第１導電型）のＰ型ウェルＰＷＥＬ内に形成されたＮ型（広義には第２導電型）不純物層ＮＣＵにて形成されているため、ポリシリコンのフローティングゲートＦＧが一層のみ形成されていることを意味する。つまり、コントロールゲートＣＧ及びフローティングゲートＦＧの二層ゲートをポリシリコンで形成するものではない。このコントロールゲートＣＧと、それに対向するフローティングゲートＦＧとにより、カップリング容量が形成される。
【００８６】
本発明の一態様でも、フローティングゲートのみの「単層ゲート」構造であるが、書き込みと消去とをチャネルの導電型が異なるＭＯＳトランジスタで行なっている点が従来技術と異なる。このように、書き込みと消去とを異なるＭＯＳトランジスタで行う利点は以下の通りである。消去は、容量結合の小さい箇所に電圧を印加して、容量結合の大きい箇所を０Ｖにすることで、ＦＮトンネル電流によりフローティングゲートに注入されている電子を引き抜くことで行われる。従来例としてあげられる単層ゲート型の不揮発性記憶装置としては、書き込みと消去とを同一のＭＯＳトランジスタ（同一箇所）で行うタイプのものがある。単層ゲート型の不揮発性記憶装置では、コントロールゲートとフローティングゲート電極との間の容量を書き込みの領域の容量と比して大きくする必要があるため、書き込み領域の容量が小さくなるように設計されている。つまり、消去の際には、容量結合の小さい箇所に消去のための大きな電圧を印加しなくてはならないことになる。
【００８７】
しかし、特に、微細な不揮発性記憶装置の場合には、消去の際に印加する電圧に対して十分な耐圧を確保することができず、ＭＯＳトランジスタが破壊されてしまうことがある。そのため、本実施形態に係るプログラマブルＲＯＭブロックでは、書き込みと消去とを異なるＭＯＳトランジスタで行い、かつ、それぞれのＭＯＳトランジスタのチャネルの導電型を異ならせている。消去を行うＭＯＳトランジスタとして、例えばＰチャネル型のＭＯＳトランジスタを形成すると、この消去のためのＭＯＳトランジスタは、Ｎ型ウェルの上に形成されることになる。そのため、消去の際に、Ｎ型ウエルと、基板（半導体層）のジャンクション耐圧までの電圧を印加することができることになる。その結果、書き込み領域と同一の箇所で消去をする場合と比して消去の電圧に対する耐圧を向上させることができ、微細化が図られ信頼性が向上する。
【００８８】
なお、本実施形態の集積回路装置１０では、ＬＶ（Low Voltage）系（例えば１．８Ｖ）、ＭＶ系（Middle Voltage）系（例えば３Ｖ）及びＨＶ（High Voltage）系（例えば２０Ｖ）が存在するが、メモリセルＭＣはＭＶ系の耐圧構造である。書き込み／読み出しトランジスタ２２０及びＮ型ＭＯＳトランジスタＸｆｅｒ（Ｎ）はＭＶ系のＮ型ＭＯＳトランジスタであり、消去トランジスタ２３０及びＰ型ＭＯＳトランジスタＸｆｅｒ（Ｐ）はＭＶ系のＰ型ＭＯＳトランジスタである。
【００８９】
図１２は、メモリセルＭＣへのデータ書き込み（プログラム）動作を示している。コントロールゲートＣＧに例えば８Ｖを印加し、書き込みトランジスタ２２０のドレインにビット線ＢＬ及びトランスファーゲート２４０を介して例えば８Ｖを印加する。書き込み／読み出しトランジスタ２２０のソース及びＰ型ウェルＰＷＥＬの電位は０Ｖである。それにより、書き込み／読み出しトランジスタ２２０のチャネルでホットエレクトロンを発生させて、その電子を書き込み／読み出しトランジスタ２２０のフローティングゲートに引き込む。この結果、書き込み／読み出しトランジスタ２２０のしきい値Ｖｔｈは、図１３に示すように初期状態より高くなる。
【００９０】
一方、消去時には、図１４に示すように、消去トランジスタ２３０のドレインに例えば２０Ｖを印加し、コントロールゲートＣＧは接地される。消去トランジスタ２３０のソース及びＮ型ウェルＮＷＥＬの電位は例えば２０Ｖである。こうすると、コントロールゲートＣＧとＮ型ウェルＮＷＥＬとの間に高い電圧がかかるために、フローティングゲートＦＧの電子をＮ型ウェルＮＷＥＬ側に引き込む。このＦＮ（Fowler-Nordheim）トンネル電流により、データが消去される。このとき、図１５に示すように、書き込み／読み出しトランジスタ２２０のしきい値Ｖｔｈは、初期状態よりも低い負のしきい値となる。
【００９１】
データ読み出し時には、図１６及び図１７に示すように、コントロールゲートＣＧを接地し、書き込み／読み出しトランジスタ２２０のドレインに例えば１Ｖを印加する。このとき、書き込み／読み出しトランジスタ２２０のソース及びＰ型ウェルＰＷＥＬの電位は０Ｖである。図１６に示す書き込み状態では、フローティングゲートＦＧは電子過剰なので、チャネルに電流は流れない。一方、図１７に示す消去状態では、フローティングゲートＦＧは正孔過剰なのでチャネルに電子が流れる。その電流の有無で、データ読み出しが可能となる。
【００９２】
なお、本実施形態のプログラマブルＲＯＭ２０は、上述したように主としてユーザーが従来のＥ２ＰＲＯＭやトリマ抵抗の代わりとして調整データを記憶させ、あるいはＩＣメーカが製造・検査段階にて調整データを記憶させる不揮発性メモリとして使用される。このため、書き換え回数を５回程度補償すれば足りるものである。
【００９３】
３．３．メモリセルアレイブロック
３．３．１．平面レイアウト
図１８は、メモリセルアレイブロック２００及びその一部を拡大して示す平面図である。メモリセルアレイブロック２００は、集積回路装置１０の短辺方向（Ｄ２方向）の中心位置に、メインワード線ドライバＭＷＬＤｒｖ及びコントロールゲート線ドライバＣＧＤｒｖの形成領域２５０が設けられる。この形成領域２５０を境に、メモリセルアレイブロック２００は第１，第２の領域に２分割されている。本実施形態では、第１，第２の領域にそれぞれ８個のカラムブロックが設けられ、計１６個のカラムブロック０〜カラムブロック１５が設けられている。１カラムブロック内にはＤ２方向にて８個のメモリセルＭＣが配置されている。本実施形態では、図３（Ａ）に示す集積回路装置１０の短辺の長さＷを８００μｍとし、一メモリセルＭＣのＤ２方向の長さに基づいて、長さＷに納められるメモリセルＭＣの個数として、１６カラム×８メモリセルの設計となった。プログラマブルＲＯＭ２０の記憶容量を増減するには、ワードラインの数を増減させれば良い。また、メインワード線ドライバＭＷＬＤｒｖ及びコントロールゲート線ドライバＣＧＤｒｖは、２分割された領域毎に一つずつ、計各２つが設けられている。なお、各一つのメインワード線ドライバＭＷＬＤｒｖ及びコントロールゲート線ドライバＣＧＤｒｖを、メモリアレイブロック２００の端部に設けても良い。
【００９４】
図１８では、一つのメインワード線ドライバＭＷＬＤｒｖにより駆動されるメインワード線ＭＷＬは計３４本設けられている。２本はＩＣメーカのテストビット用のメモリセルに接続されたテスト用メインワード線Ｔ１，Ｔ０であり、残りの３２本がユーザ用のメインワード線ＭＷＬ０−ＭＷＬ３１である。また、一つのコントロールゲート線ドライバＣＧＤｒｖにより駆動されるコントロールゲート線ＣＧ（図１０に示すＮ型不純物層ＮＣＵ）が、メインワード線ＭＷＬと平行に延びている。
【００９５】
１６個のカラムブロック０〜カラムブロック１５の各々は、メモリセル領域２６０とサブワード線デコーダ領域２７０を有する。サブワード線デコーダ領域２７０には、各メインワード線ＭＷＬに接続されたサブワード線デコーダＳＷＬＤｅｃが設けられている。また、コントロール回路ブロック２０２の領域には、各サブワード線デコーダ領域２７０毎に、カラムドライバＣＬＤｒｖが設けられている。各サブワード線デコーダ領域２７０に配置された全サブワード線デコーダＳＷＬＤｅｃに、カラムドライバＣＬＤｒｖの出力線が共通接続されている。
【００９６】
一つのサブワード線デコーダＳＷＬＤｅｃより、隣接するメモリセル領域２６０内に向けて、サブワード線ＳＷＬと反転サブワード線ＸＳＷＬが延びている。一つのカラムブロック内では、メモリセル領域２６０内に、サブワード線ＳＷＬと反転サブワード線ＸＳＷＬとに共通接続された例えば８個のメモリセルＭＣが配置されている。
【００９７】
図１８に示すレイアウトでは、メインワード線ドライバＭＷＬＤｒｖにより１本のメインワード線ＭＷＬが選択され、かつ、カラムデコーダＣＬＤｒｖにより１つのカラムブロックが選択されることで、一つのサブワード線デコーダＳＷＬＤｅｃが選択される。この選択されたサブワード線デコーダＳＷＬＤｅｃに接続された８個のメモリセルＭＣが選択セルとなり、データのプログラム（書き込み）または読み出しが行われる。
【００９８】
３．３．２メモリセル領域及びサブワード線デコーダ領域のウェルレイアウト
図１８には、メモリセル領域２６０及びサブワード線デコーダ領域２７０に共通のウェルレイアウトが図示されている。メモリセル領域２６０内の一つのメモリセルＭＣを形成するために、３つのウェルが用いられている。一つは、メインワード線ＭＷＬに沿った方向（Ｄ２方向）に延びるＰ型ウェルＰＷＥＬ（広義には第１導電型の表層ウェル）であり、他の一つはそのＰ型ウェルＰＷＥＬを囲む環状Ｎ型ウェルＮＷＥＬ１（広義には第２導電型の環状表層ウェル）であり、さらに他の一つが環状Ｎ型ウェルＮＷＥＬ１の側方にてメインワード線ＭＷＬに沿った方向（Ｄ２方向）に延びる帯状Ｎ型ウェルＮＷＥＬ２（広義には第２導電型の帯状表層ウェル）である。なお、環状Ｎ型ウェルＮＷＥＬ１の一方の長辺領域をＮＷＥＬ１−１とし、他方の長辺領域（ＮＷＥＬ２側）をＮＷＥＬ１−２とする。
【００９９】
一つのメモリセルＭＣは、図１８に示す１メモリセルの長さ領域Ｌに亘って、３つのウェル（ＰＷＥＬ，ＮＷＥＬ１，ＮＷＥＬ２）上に形成される。また、各メモリセル領域２６０内の長さ領域Ｌには、図１８に示すように、一つのサブワード線デコーダＳＷＬＤｅｃに共通接続される８個のメモリセルＭＣが形成される。
【０１００】
なお、図１８において、環状Ｎ型ウェルＮＷＥＬ１と、帯状Ｎ型ウェルＮＷＥＬ２とをそれぞれ囲むＰ型不純物リング２８０（広義には第１導電型の不純物リング）が設けられているが、これについては後述する。
【０１０１】
図１８において、サブワード線デコーダ領域２７０にも上述した３つのウェル（ＰＷＥＬ，ＮＷＥＬ１，ＮＷＥＬ２）が形成される。ただし、サブワード線デコーダＳＷＬＤｅｃを構成するトランジスタの形成領域は、図１８にてドット領域として示すＰ型ウェルＰＷＥＬ及び帯状Ｎ型ウェルＮＷＥＬ２上であり、環状Ｎ型ウェルＮＷＥＬ１上には形成されない。
【０１０２】
３．３．３．メモリセルの平面レイアウト及び断面構造
図１９は、図１８にて隣り合う２つのメモリセルＭＣの平面レイアウトである。図２０は、図１９のＣ−Ｃ’断面を示し、一つのメモリセルＭＣの断面図である。なお、図１９のＣ−Ｃ’の破断線のうち、Ｄ２方向の破線で示す断面は図２０では省略されている。また、図１９のＣ−Ｃ’破断線のうちＤ１方向の寸法と、図２０のＤ１方向の寸法とは、必ずしも一致していない部分がある。
【０１０３】
図１９において、２つのメモリセルＭＣは、平面視でミラー配置される。図１９に示すように、メモリセルＭＣは、３つのウェル（ＰＷＥＬ，ＮＷＥＬ１，ＮＷＥＬ２）に跨って形成されることは上述した。環状Ｎ型ウェルＮＷＥＬ１の外縁領域内側の下層と、帯状Ｎ型ウェルＮＷＥＬ２の下層には、図２０に示すように、深層Ｎ型ウェルＤＮＷＥＬ（広義には第２導電型の深層ウェル）が設けられている。図２０に示すように、深層Ｎ型ウェルＤＮＷＥＬ上の３つのウェル（ＰＷＥＬ，ＮＷＥＬ１，ＮＷＥＬ２）内にはＰ型またはＮ型の不純物領域（広義には最表層不純物領域）が設けられるので、本実施形態のメモリセルＭＣはトリプルウェル構造である。これにより、Ｐ型基板ＰｓｕｂとＰ型ウェルＰＷＥＬとを別電位に設定できる。なお、Ｐ型基板Ｐｓｕｂ上にはプログラマブルＲＯＭ２０だけが形成されるのでなく、他の回路ブロックも形成され、バックゲート電圧印加等のニーズがあるので、必ずしもＰ型基板Ｐｓｕｂの電位を接地電位に固定するとは限らない。
【０１０４】
図１９及び図２０に示すように、環状Ｎ型ウェルＮＷＥＬ１の一方の長辺領域ＮＷＥＬ１−１と、Ｐ型ウェルＰＷＥＬの上層には、図示しない絶縁膜を介して、ポリシリコンによるフローティングゲートＦＧが形成されている。このフローティングゲートＦＧは、ＰＷＥＬに形成された書き込み／読み出しトランジスタ２２０と、環状Ｎ型ウェルＮＷＥＬ１の一方の長辺領域ＮＷＥＬ１−１に形成された消去トランジスタ２３０の共通ゲートとして機能する。さらに、フローティングゲートＦＧと絶縁膜を介して対向するＰ型ウェルＰＷＥＬ領域には、Ｎ型不純物領域ＮＣＵが形成される。このＮ型不純物領域ＮＣＵは、コントロールゲート電圧ＶＣＧが印加されて、コントロールゲートＣＧとして機能する。
【０１０５】
Ｐ型ウェルＰＷＥＬには、図１１に示すトランスファーゲート２４０のＮ型ＭＯＳトランジスタＸｆｅｒ（Ｎ）が設けられている。また、帯状Ｎ型ウェルＮＷＥＬ２には、トランスファーゲート２４０のＰ型ＭＯＳトランジスタＸｆｅｒ（Ｐ）が設けられている。なお、図１９に示すようにＰ型ＭＯＳトランジスタＸｆｅｒ（Ｐ）は複数設けられ、これらは並列接続されることでゲート幅を確保してドライブ能力を確保している。
【０１０６】
なお、環状Ｎ型ウェルＮＷＥＬ１の他方の長辺領域ＮＷＥＬ１−２には、Ｎ型不純物領域が設けられるだけで、アクティブ素子は設けられない。この他方の長辺領域ＮＷＥＬ１−２は、一方の長辺領域ＮＷＥＬ１−１と連結されてＰ型ウェルＰＷＥＬを環状に囲むためだけに設けられている。他方の長辺領域ＮＷＥＬ１−２が形成されないと、たとえ深層Ｎ型ウェルＤＮＷＥＬを配置したとしても、Ｐ型ウェルＰＷＥＬをＰ型基板Ｐｓｕｂと電気的に分離できないからである。
【０１０７】
本実施形態では、深層Ｎ型ウェルＤＮＷＥＬの上層であって、Ｐ型ウェルＰＷＥＬと、その外側の環状Ｎ型ウェルＮＷＥＬ１とは離間されている。この離間スペースＧ１は、消去時に２０Ｖが印加される環状Ｎ型ウェルＮＷＥＬ１と、ＶＳＳ電位に設定されるＰ型ウェルＰＷＥＬとの間で２０Ｖの耐圧確保のためである。本実施形態では、離間スペースの距離Ｇ１を１μｍとした。なお、環状Ｎ型ウェルＮＷＥＬ１とＰ型ウェルＰＷＥＬとの間で耐圧が確保されれば、離間スペースＧ１は必要ではない。例えば、設計ルールが０．２５μｍであれば離間スペースＧ１は不要であるが、０．１８μｍの設計ルールでは離間スペースＧ１により耐圧を確保しても良い。
【０１０８】
次に、環状Ｎ型ウェルＮＷＥＬ１と、帯状Ｎ型ウェルＮＷＥＬ２との間にも、離間スペースＧ２が設けられている。特に、この離間スペースＧ２の領域には、環状Ｎ型ウェルＮＷＥＬ１と帯状Ｎ型ウェルＮＷＥＬ２とを電気的に分離するために、深層Ｎ型ウェルＤＮＷＥＬも配置されない。代りに、深層Ｐ型ウェルＤＰＷＥＬ（広義には、第１導電型の環状深層ウェル）が形成されている。この深層Ｐ型ウェルＤＰＷＥＬは、Ｐ型基板Ｐｓｂよりも不純物濃度が若干濃く、表層のＰ型ウェルＰＷＥＬよりも濃度は薄くして、環状Ｎ型ウェルＮＷＥＬ１と帯状Ｎ型ウェルＮＷＥＬ２との間の耐圧を上げるために設けられている。なお、この深層Ｐ型ウェルＤＰＷＥＬは、図１８の環状Ｎ型ウェルＮＷＥＬ１と、帯状Ｎ型ウェルＮＷＥＬ２とを囲って環状に配置される。
【０１０９】
加えて、本実施形態では、離間スペースＧ２の表層に、平面視でリング状にＰ型不純物層（Ｐ型リング、広義には第１導電型の不純物リング）２８０を配置した。このＰ型リング２８０の形成領域は図１８に示す通り、環状Ｎ型ウェルＮＷＥＬ１及び帯状Ｎ型ウェルＮＷＥＬ２の双方を囲っている。
【０１１０】
このＰ型リング２８０を設けることで、離間スペースＧ２の上を寄生トランジスタのゲートとなり得る金属配線が跨いだとしても、寄生トランジスタがオンして離間スペースＧ２内の電位が反転することを防止するためである。なお、本実施形態では離間スペースＧ２の長さ＝４．５μｍとし、離間スペースＧ２の中心に位置するＰ型リング２８０の幅は０．５μｍとした。ただし、電位反転防止の観点からは、寄生トランジスタのゲートとなり得るポリシリコン層や第１層金属配線は、離間スペースＧ２を跨いで形成されないこととした。第二層以上の金属配線は、離間スペースＧ２を跨いでも良い設計とした。
【０１１１】
図２０の変形例として、図２１を挙げることができる。図２１では、離間スペースＧ２に環状の深層Ｐ型ウェルＤＰＷＥＬを設けずに、代りに環状の表層Ｐ型ウェルＳＰＷＥＬ（広義には第１導電型の環状表層ウェル）を設けた。Ｐ型リング２８０は、環状の表層Ｐ型ウェルＳＰＷＥＬ内に形成されている。なお、環状Ｎ型ウェルＮＷＥＬ１の他方の長辺領域ＮＷＥＬ１−１と表層Ｐ型ウェルＳＰＷＥＬとの離間スペースＧ１（例えば１μｍ）は、上述と同じ理由で２０Ｖの耐圧確保のために設けられている。
【０１１２】
３．３．４．コントロール回路ブロック
次に、図８に示すコントロール回路ブロック２０２について説明する。図２２はコントロール回路ブロック２０２のブロック図であり、図２３はコントロール回路ブロック２０２のレイアウト図である。コントロール回路ブロック２０２は、メモリセルアレイブロック２００内のメモリセルＭＣへのデータのプログラム（書き込み）、読み出し及び消去を制御するための回路ブロックである。このコントロール回路ブロック２０２には、図２２に示すように、電源回路３００、コントロール回路３０２、Ｘプリデコーダ３０４、Ｙプリデコーダ３０６、センスアンプ回路３０８、データ出力回路３１０、プログラムドライバ３１２、データ入力回路３１４及び上述したカラムドライバ３１６（ＣＬＤｒｖ）を有している。なお、図２３に示すインプット／アウトプットバッファ３１８は、図２２のデータ出力回路３１０及びデータ入力回路３１４を含んでいる。電源回路３００は、ＶＰＰスイッチ３００−１、ＶＣＧスイッチ３００−２及びＥＲＳ（消去）スイッチ３００−３を有している。
【０１１３】
図２３に示すように、メモリセルアレイブロック２００とコントロール回路ブロック２０２は、Ｄ１方向で隣接している。そして、メモリセルアレイブロック２００より読み出されるデータは、コントロール回路ブロック２０２を経由して、コントロール回路ブロック２０２内のインプット／アウトプットバッファ３１８を介して、メモリセルアレイブロック２００のビット線ＢＬが延びる方向（Ｄ１方向）に沿って出力される。
【０１１４】
ここで、図３（Ａ）（Ｂ）にて説明したように、プログラマブルＲＯＭ２０は、そのデータの転送先であるロジック回路ＬＢか電源回路ＰＢのブロックに対して、Ｄ１方向にて隣接配置される。さらに加えて、プログラマブルＲＯＭ２０のコントロール回路ブロック２０２が、データの転送先であるロジック回路ＬＢか電源回路ＰＢのブロックに対して、Ｄ１方向にて隣接配置されれば、よりショートパスにてデータを供給できる。
【０１１５】
４．電子機器
図２４（Ａ）（Ｂ）に本実施形態の集積回路装置１０を含む電子機器（電気光学装置）の例を示す。なお電子機器は図２４（Ａ）（Ｂ）に示されるもの以外の構成要素（例えばカメラ、操作部又は電源等）を含んでもよい。また本実施形態の電子機器は携帯電話機には限定されず、デジタルカメラ、ＰＤＡ、電子手帳、電子辞書、プロジェクタ、リアプロジェクションテレビ、或いは携帯型情報端末などであってもよい。
【０１１６】
図２４（Ａ）（Ｂ）においてホストデバイス４１０は、例えばＭＰＵ（Micro Processor Unit）、ベースバンドエンジン（ベースバンドプロセッサ）などである。このホストデバイス４１０は、表示ドライバである集積回路装置１０の制御を行う。或いはアプリケーションエンジンやベースバンドエンジンとしての処理や、圧縮、伸長、サイジングなどのグラフィックエンジンとしての処理を行うこともできる。また図２４（Ｂ）の画像処理コントローラ（表示コントローラ）４２０は、ホストデバイス４１０に代行して、圧縮、伸長、サイジングなどのグラフィックエンジンとしての処理を行う。
【０１１７】
表示パネル４００は、複数のデータ線（ソース線）と、複数の走査線（ゲート線）と、データ線及び走査線により特定される複数の画素を有する。そして、各画素領域における電気光学素子（狭義には、液晶素子）の光学特性を変化させることで、表示動作を実現する。この表示パネル４００は、ＴＦＴ、ＴＦＤなどのスイッチング素子を用いたアクティブマトリクス方式のパネルにより構成できる。なお表示パネル４００は、アクティブマトリクス方式以外のパネルであってもよいし、液晶パネル以外のパネルであってもよい。
【０１１８】
図２４（Ａ）の場合には、集積回路装置１０としてメモリ内蔵のものを用いることができる。即ちこの場合には集積回路装置１０は、ホストデバイス４１０からの画像データを、一旦内蔵メモリに書き込み、書き込まれた画像データを内蔵メモリから読み出して、表示パネルを駆動する。一方、図２４（Ｂ）の場合には、集積回路装置１０としてメモリ非内蔵のものを用いることができる。即ちこの場合には、ホストデバイス４１０からの画像データは、画像処理コントローラ４２０の内蔵メモリに書き込まれる。そして集積回路装置１０は、画像処理コントローラ４２０の制御の下で、表示パネル４００を駆動する。
【０１１９】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語（第１のインターフェース領域、第２のインターフェース領域等）と共に記載された用語（出力側Ｉ／Ｆ領域、入力側Ｉ／Ｆ領域等）は、明細書又は図面のいかなる箇所においても、その異なる用語に置き換えることができる。また集積回路装置や電子機器の構成、配置、動作も本実施形態で説明したものに限定に限定されず、種々の変形実施が可能である。
【０１２０】
例えば、本発明では、プログラマブルＲＯＭを構成するメモリセルＭＣは、不純物層ＮＣＵの代わりウェルを用いた単層ゲート構造であってもよい。また、必ずしも単層ゲートのものに限らず、二層ゲートであってもよい。
【０１２１】
また、プログラマブルＲＯＭを搭載する半導体基板の第１導電型をＮ型とすることもできる。
【図面の簡単な説明】
【０１２２】
【図１】本実施形態の集積回路装置の構成例を示す図である。
【図２】種々のタイプの表示ドライバとそれが内蔵する回路ブロックの例を示す図である。
【図３】図３（Ａ）（Ｂ）は本実施形態の集積回路装置の平面レイアウト例を示す図である。
【図４】図４（Ａ）（Ｂ）は集積回路装置の断面図の例を示す図である。
【図５】図３（Ａ）に示す回路ブロックのうち、プログラマブルＲＯＭ、ロジック回路及び階調電圧生成回路の関係を示すブロック図である。
【図６】図６（Ａ）（Ｂ）（Ｃ）は図５の回路によって調整される階調電圧を示す特性図である。
【図７】電気光学装置を含む表示装置の構成例のブロック図である。
【図８】集積回路装置内のプログラマブルＲＯＭブロックのレイアウトを示す図である。
【図９】図８に対する比較例のレイアウトを示す図である。
【図１０】プログラマブルＲＯＭ内に配置される単層ゲートのメモリセルの平面図である。
【図１１】図１０に示すメモリセルの等価回路図である。
【図１２】図１０のＡ−Ａ’断面を示し、メモリセルでのプログラム（書き込み）原理を示す図である。
【図１３】プログラム後の書き込み／読み出しトランジスタのしきい値の推移を説明する図である。
【図１４】図１０のＢ−Ｂ’断面を示し、メモリセルでの消去原理を示す図である。
【図１５】消去後の書き込み／読み出しトランジスタのしきい値の推移を説明する図である。
【図１６】図１０のＡ−Ａ’断面を示し、書き込み状態のメモリセルからのデータ読み出し原理を示す図である。
【図１７】図１０のＡ−Ａ’断面を示し、消去状態のメモリセルからのデータ読み出し原理を示す図である。
【図１８】プログラマブルＲＯＭのメモリセルアレイブロックの平面図である。
【図１９】隣り合う２つのメモリセルの平面図である。
【図２０】図１９のＣ−Ｃ’断面図である。
【図２１】図２０の変形例を示す図である。
【図２２】プログラマブルＲＯＭのブロック図である。
【図２３】プログラマブルＲＯＭ全体の平面的レイアウトを示す図である。
【図２４】図２４（Ａ）（Ｂ）は電子機器の構成例を示す図である。
【符号の説明】
【０１２３】
ＣＢ１〜ＣＢＮ…第１〜第Ｎの回路ブロック、１０…集積回路装置、１２…出力側Ｉ／Ｆ領域、１４…入力側Ｉ／Ｆ領域、２０…プログラマブルＲＯＭ、２００…メモリセルアレイブロック、２０２…コントロール回路ブロック、２１０…コントロールゲート部分、２２０…書き込み／読み出しトランジスタ、２３０…消去トランジスタ、２４０…トランスファーゲート、２５０…メインワード線・コントロールゲート線ドライバ領域、２６０…メモリセル領域、２７０…サブワード線デコーダ領域、２８０…Ｐ型リング、３００…電源回路、３０２…コントロール回路、３０４…Ｘプリデコーダ、３０６…Ｙプリデコーダ、３０８…センスアンプ回路、３１０…データ出力回路、３１２…プログラムドライバ、３１４…データ入力回路、３１８…インプット／アウトプットバッファ、ＢＬ…ビット線、ＣＧ（ＮＣＵ）…コントロールゲート、ＦＧ…フローティングゲート、ＬＢ…ロジック回路（ゲートアレイ）、ＭＣ…メモリセル、ＮＷＥＬ１…環状Ｎ型ウェル、ＮＷＥＬ２  帯状Ｎ型ウェル、ＰＢ…電源回路ブロック、ＰＷＥＬ…Ｐ型ウェル、Ｘｆｅｒ（Ｐ）…トランスファーゲートのＰＭＯＳ、Ｘｆｅｒ（Ｎ）…トランスファーゲートのＮＭＯＳ、ＷＬ…ワード線
【図１】
0004665677.tif 000002
【図２】
0004665677.tif 000003
【図３】
0004665677.tif 000004
【図４】
0004665677.tif 000005
【図５】
0004665677.tif 000006
【図６】
0004665677.tif 000007
【図７】
0004665677.tif 000008
【図８】
0004665677.tif 000009
【図９】
0004665677.tif 000010
【図１８】
0004665677.tif 000011
【図２２】
0004665677.tif 000012
【図２３】
0004665677.tif 000013
【図２４】
0004665677.tif 000014
【図１０】
0004665677.tif 000015
【図１１】
0004665677.tif 000016
【図１２】
0004665677.tif 000017
【図１３】
0004665677.tif 000018
【図１４】
0004665677.tif 000019
【図１５】
0004665677.tif 000020
【図１６】
0004665677.tif 000021
【図１７】
0004665677.tif 000022
【図１９】
0004665677.tif 000023
【図２０】
0004665677.tif 000024
【図２１】
0004665677.tif 000025